(57)【要約】【課題】腰部及び踝部が共に運動されることができる運動器具を提供する。【解決手段】ベース（１０）を有し、ベース（１０）の上に踏み皿（２０）が設置され、踏み皿（２０）とベース（１０）が施回心軸によって連結されることを特徴とする。【選択図】　　　　図１
2004065662.tif 000002
【特許請求の範囲】
【請求項１】
ベース（１０）を有し、ベース（１０）の上に踏み皿（２０）が設置され、踏み皿（２０）とベース（１０）が施回心軸によって連結されることを特徴とする運動器具。
【請求項２】
施回心軸は一端がボール端部（１１０）を有するロッド（１１）であり、踏み皿（２０）はローラー盛り座（２２）と回転皿（２１）とを備え、ローラー盛り座（２２）上に複数のローラー（２２０）が設けられると共に、ローラー盛り座（２２）とローラー（２２０）の上に回転皿（２１）が設けられ、ローラー盛り座（２２）の下に取り付け部（２２１）が形成されると共に、取り付け部（２２１）の中央に上記のボール端部（１１０）を収容するため軸受け（２２２）が形成され、ベース（１０）に施回心軸のロッド（１１）を収容するため収容パイプ（１００）が設けられると共に、収容パイプ（１００）の外部にリング状の取り付けリブ（１０１）が設けられ、ベース（１０）の取り付けリブ（１０１）と踏み皿（２０）の取り付け部（２２１）との間にバネ部材（１２）が設けられることを特徴とする請求項１に記載の運動器具。
【請求項３】
ベース（１０）の一端に取っ手（１３）が設置されることを特徴とする請求項１又は２に記載の運動器具。
【発明の詳細な説明】
【０００１】
【発明の属する技術分野】
本発明は、腰部及び踝部が共に運動されることができる運動器具に関するものである。
【０００２】
【従来の技術】
社会の発展と伴い、現代人の生活はますます忙しくなり、運動の時間及び空間さえなくなっていき、従って、多分の現代人は屋内の運動器具によって運動の需要を満足している。この運動器具は、例えば、ウォーカーや、サイクルマシンや、ステッパーなどがある。
【０００３】
従来の屋内用運動器具は殆ど単一の功能しかなく、或いは単一部位の運動を行うしかないから、使用の範囲がよく制限されておる。腰部運動器具を例として説明する。この腰部運動器具はベース上にベースと対して回転できる回転皿が設けられ、使用者は回転皿の上に立ちながら、下半身を左右に回転するによって腰部を運動させる。
【０００４】
【本発明が解決しようとする課題】
しかしながら、上記の腰部運動器具は使用者の腰部を運動と訓練するしかなく、更に、使用方法も単調であり、従って、この腰部運動器具は他の屋内の運動器具と同じように、使用上の弾性と変化性がない欠点がある。
【０００５】
そこで、出願されたのが本発明であって、腰部及び踝部が共に運動されることができる運動器具を提供することを目的としている。
【０００６】
【課題を解決するための手段】
上記の課題を解決するために、本発明は、
ベース（１０）を有し、ベース（１０）の上に踏み皿（２０）が設置され、踏み皿（２０）とベース（１０）が施回心軸によって連結されることを特徴とする運動器具、を提供する。
【０００７】
【発明の実施の形態】
以下、添付図面を参照して本発明の好適な実施の形態を詳細に説明する。
【０００８】
図１は本発明に係わる運動器具の斜視図であり、図２は本発明に係わる運動器具の分解斜視図であり、図３は本発明に係わる運動器具の一部断面図であり、図４は本発明に係わる運動器具の使用状態を示す参考図であり、図５は本発明に係わる運動器具の使用し、踝部を左右に運動する状態を示す参考図であり、図６は本発明に係わる運動器具の使用し、踝部を前後に運動する状態を示す参考図である。
【０００９】
図１乃至図３に示すように、本発明の運動器具はベース（１０）を有し、ベース（１０）の上に踏み皿（２０）が設置され、踏み皿（２０）とベース（１０）との間に施回心軸が設けられ、従って、踏み皿（２０）はベース（１０）に対して左右前後に揺れることができる。施回心軸は一端がボール端部（１１０）を有するロッド（１１）である。踏み皿（２０）はローラー盛り座（２２）と回転皿（２１）とを備え、ローラー盛り座（２２）上に複数のローラー（２２０）が設けられると共に、ローラー盛り座（２２）とローラー（２２０）の上に回転皿（２１）が設けられ、従って、回転皿（２１）はローラー盛り座（２２）に対して左右に回転することができる。
【００１０】
ローラー盛り座（２２）の下に取り付け部（２２１）が形成されると共に、取り付け部（２２１）の中央に上記のボール端部（１１０）を収容するため軸受け（２２２）が形成され、従って、ローラー盛り座（２２）は施回心軸のロット（１１）に対して左右前後に揺れることができる。又、回転皿（２１）はローラー盛り座（２２）と直接に接触することを防止するため、回転皿（２１）とローラー盛り座（２２）との間にワッシャ（２３）が設けられる。前記のローラー（２２０）はワッシャ（２３）に置きこんでローラー盛り座（２２）に設置されても良い。
【００１１】
ベース（１０）に施回心軸のロッド（１１）を収容するため収容パイプ（１００）が設けられると共に、収容パイプ（１００）の外部にリング状の取り付けリブ（１０１）が設けられる。
【００１２】
ベース（１０）の取り付けリブ（１０１）と踏み皿（２０）の取り付け部（２２１）との間にバネ部材（１２）が設けられ、それにより、踏み皿（２０）を左右前後に揺れると、回転皿（２１）がローラー盛り座（２２）に対して左右に回転される際、よく安定性の効果を得る。
【００１３】
図３乃至図６に示すように、本発明を使用する際、使用者の足が踏み皿（２０）上に立ち、踏み皿（２０）は施回心軸によってベース（１０）と連結するので、踏み皿（２０）はベース（１０）に対して左右前後に揺れることができ、従って、使用者は自身の重量によって左右前後に揺れることができ、それにより、使用者の踝部と腰部が左右前後に運動される。又、本発明の踏み皿（２０）は回転皿（２１）がローラー盛り座（２２）に対して左右に回転することができるので、使用者の腰部にもっと強く運動効果を得ることができる。
【００１４】
本発明のバネ部材（１２）を取り除ければ、踏み皿（２０）はもっと強い揺れる現象があり、踏み皿（２０）の揺れる幅は大きいから、使用者はもっと専心に踏み皿（２０）を安定させなければならなく、従って、本発明は安定性の訓練することもできる。
【００１５】
又、ベース（１０）の一端に取っ手（１３）が設置されても良く、安定性が良くない使用者は本発明を使用する際、取って（１３）を握って運動すれば、踏み皿（２０）上から転落することが防止され、使用上にもっと安全である。
【００１６】
【発明の効果】
本発明は以上説明したようになるから、施回心軸によって踏み皿（２０）はベース（１０）に対して左右前後に揺れることができ、更に、ローラー盛り座（２２）上に複数のローラー（２２０）が設けられると共に、ローラー盛り座（２２）とローラー（２２０）の上に回転皿（２１）が設けられ、従って、回転皿（２１）はローラー盛り座（２２）に対して左右に回転することができ、それにより、使用者の踝部と腰部が左右前後に運動されることができる。
【図面の簡単な説明】
【図１】本発明に係わる運動器具の斜視図である。
【図２】本発明に係わる運動器具の分解斜視図である。
【図３】本発明に係わる運動器具の一部断面図である。
【図４】本発明に係わる運動器具の使用状態を示す参考図である。
【図５】本発明に係わる運動器具の使用し、踝部を左右に運動する状態を示す参考図である。
【図６】本発明に係わる運動器具の使用し、踝部を前後に運動する状態を示す参考図である。
【符号の説明】
１０　　　　ベース
１００　　　収容パイプ
１０１　　　取り付けリブ
１１　　　　ロッド
１１０　　　ボール端部
１２　　　　バネ部材
１３　　　　取っ手
２０　　　　踏み皿
２１　　　　回転皿
２２　　　　ローラー盛り座
２２０　　　ローラー
２２１　　　取り付け部
２２２　　　軸受け
２３　　　　ワッシャ
【図１】
2004065662.tif 000003
【図２】
2004065662.tif 000004
【図３】
2004065662.tif 000005
【図４】
2004065662.tif 000006
【図５】
2004065662.tif 000007
【図６】
2004065662.tif 000008